(57)【要約】【課題】  吸入用孔を有する化粧カバーが噴流浴槽の吸入口から簡単に取り外すことができない噴流浴槽の吸入口構造を提供することを目的とする。【解決手段】浴槽側壁部８１に噴出口と吸入口とを有する噴流浴槽において、複数個の吸入用孔１３、１３ａが設けられたキャップ形状の化粧カバー１を前記吸入口に取付けた吸入口構造であって、化粧カバー１は内面側にメッシュカバー２を組み込んで吸入口の先端部３１に取付けられ、該化粧カバー１と吸入口の先端部２１とは挿入ピン６で外れないように固定されている。【選択図】      図１  
2005028003.tif 000002
【特許請求の範囲】
【請求項１】
浴槽側壁部に噴出口と吸入口とを有する噴流浴槽において、複数個の吸入用孔が設けられたキャップ形状の化粧カバーを前記吸入口に取付けた吸入口構造であって、化粧カバーは内面側にメッシュカバーを組み込んで吸入口の先端部に取付けられ、該化粧カバーと吸入口の先端部とは挿入ピンで外れないように固定されていることを特徴とする噴流浴槽の吸入口構造。
【請求項２】
浴槽側壁部の内面側に吸入口の先端部を突出させ、該突出した吸入口の先端に雄ねじ部を設け、化粧カバーの側壁周端部の内側に雌ねじ部を設け、吸入口の雄ねじ部に化粧カバーの側壁周端部を螺結したことを特徴とする請求項１記載の噴流浴槽の吸入口構造。
【発明の詳細な説明】
【技術分野】
【０００１】
本発明は噴流浴槽において、浴槽本体へ装着する吸入口構造に関するものである。
【背景技術】
【０００２】
噴流浴槽においては、気泡が混入された浴湯水を噴射させて浴湯水を勢いよく流動させることにより、マッサージ効果やリラックス効果を促している（例えば、特許文献１を参照。）。
【０００３】
かかる噴流浴槽の一例として、図１０〜１１にその概略を示している。
図１０において、８０は浴槽である。１０Ａは浴槽側壁部８１に設けた複数箇の噴出口、１０Ｂは浴槽側壁部８１に設けた１箇の吸入口、９０は浴槽外部に設置した循環加圧ポンプであり、図１１に示すように上記吸入口１０Ｂをポンプ９０の吸込側にフランジ付きエルボ等の配管９１により連通し、ポンプ９０の吐出側を上記の噴出口１０Ａに配管９２によりそれぞれ連通してある。
【０００４】
而して、ポンプ９０を駆動すると、浴湯水がポンプ９０の吐出圧力により噴射されると共にその浴湯水の流動に伴い図示しない空気吸引口から空気が吸引されて噴出ノズルから気泡入り浴湯水ジェットが噴出され、他方、吸入口１０Ｂからポンプ９０の吸込み圧力により浴湯水が吸入されていく。
【０００５】
上記噴流浴槽においては、浴槽８０内の浴湯水内に混入した毛髪が吸入口１０Ｂを経てポンプ９０のインペラに巻き込まれるのを防止するために、吸入口１０Ｂで毛髪を除去することが不可欠である。
そこで、本出願人においては、かかる危険性を排除するために、噴流浴槽の吸入口にメッシュカバーを組み込んだ小孔付きの化粧カバーを取り付けることを提案した。
【０００６】
上記の吸入口構造においては、浴湯水が化粧カバーの小孔を経て吸入される際、毛髪がメッシュカバーで捕獲されてポンプに達しないようにされているから、ポンプでの毛髪のインペラへの巻き付きよる故障を回避できる。
【特許文献１】特許３０３８８８５号公報（図１及び図２）
【発明の開示】
【発明が解決しようとする課題】
【０００７】
ところで、上記吸入口構造における化粧カバーは、浴槽側壁部の内面側に突出した吸入口の先端部に螺着して取付けらており、通常の使用においては、化粧カバーは緩んで外れるということがないが、子供等の戯れにより、化粧カバー取り外した状態で使用することがある。そのため、そのまま入浴中に浴湯水に潜ったり、また老齢者においては、躯体をとられ滑って頭部が浴湯水に沈められたりすると、頭部が浴湯水中に引き込まれて人身事故に至る危険性がある。
【０００８】
本発明の目的は、吸入用孔を有する化粧カバーが噴流浴槽の吸入口から簡単に取り外すことができない噴流浴槽の吸入口構造を提供することにある。
【課題を解決するための手段】
【０００９】
本発明の請求項１に係る噴流浴槽の吸入口構造は、浴槽側壁部に噴出口と吸入口とを有する噴流浴槽において、複数個の吸入用孔が設けられたキャップ形状の化粧カバーを前記吸入口に取付けた吸入口構造であって、化粧カバーは内面側にメッシュカバーを組み込んで吸入口の先端部に取付けられ、該化粧カバーと吸入口の先端部とは挿入ピンで外れないように固定されていることを特徴としている。
【００１０】
本発明の請求項２に係る噴流浴槽の吸入口構造は、本発明の請求項１に係る噴流浴槽において、浴槽側壁部の内面側に吸入口の先端部を突出させ、該突出した吸入口の先端に雄ねじ部を設け、化粧カバーの側壁周端部の内側に雌ねじ部を設け、吸入口の雄ねじ部に化粧カバーの側壁周端部を螺結したことを特徴としている。
【００１１】
本発明において、化粧カバーは、入浴者がメッシュに直接に接触することを防止して入浴者の安全を保証したり、外観上メッシュを隠すために使用されている。また、内側メッシュカバーは毛止めのために使用されている。
【発明の効果】
【００１２】
本発明に係る噴流浴槽の吸入口構造においては、化粧カバーは内面側にメッシュカバーを組み込んで吸入口の先端部に取付けられ、該化粧カバーと吸入口の先端部とは挿入ピンで外れないように固定されているから、子供等の戯れにより、化粧カバー取り外しすことができなく、常時、安全に使用することができる。
【発明を実施するための最良の形態】
【００１３】
以下、図面を参照しつつ本発明の実施の形態について説明する。
図１は、本発明の浴槽の吸入口構造を説明する破断側面図、図２は本発明の噴流浴槽の吸入口構造において使用する化粧カバーの一例を示す平面図、図３は同じく化粧カバーの破断側面図、図４は浴槽壁に取付けられる吸入口締付フランジの平面図、図５は同じく吸入口締付フランジの破断側面図、図６は吸入口本体の平面図、図７は同じく吸入口本体の破断側面図である。
【００１４】
図１において、１は内側にメッシュカバー２が内蔵されたキャップ状の化粧カバー、３は雄ねじ部３１を有する吸入口締付フランジ、４は雌ねじ部４１を有する吸入口本体であり、浴槽側壁部８１に吸入口締付フランジ３と吸入口本体４とがパッキン５を介して取付けられ、吸入口締付フランジ３に化粧カバー１が螺着して取付けられ、更に、化粧カバー１が外れないように吸入口締付フランジ３に挿入ピン６で固定されている。なお、７はフランジ部７１とエルボ部７２とか形成されるフランジ付きエルボである。
【００１５】
化粧カバー１は、図２〜３に示すように、円形状の前壁部１１と前壁部１１の周囲に周設された周壁部１２とからキャップ形状に形成されている。化粧カバー１の前壁部１１には、中央部に円形吸引孔１３が設けられ、この円形吸引孔１３の周囲に複数箇の円弧形吸入用孔１３ａを放射パターンで設けてある。また、周壁部１２には端部内周面に雌ねじ部１４が螺設されており、端部外周面から貫通してピン挿通孔１５が穿設されている。１６は前壁部１１の裏面に突設したピンで中心から放射状の位置に６個配設されている。
【００１６】
この化粧カバー１には、熱可塑性樹脂の射出成形品、例えば硬質塩化ビニル樹脂製品を用いることができ、化粧カバー１の内面に内側メッシュカバー２が内蔵されている。この内側メッシュカバー２は、化粧カバー１の内周面の雌ねじ部１４を除く部分に化粧カバー１の内側面に沿うようにキャップ形状に成形されており、化粧カバー１のピン１６が挿入される取付孔２１が中心から放射状の位置に６個設けられている。この内側メッシュカバー２には、耐腐食性金属が使用されている。例えば、不錆鋼を用いることができる。
【００１７】
吸入口締付フランジ３は、浴槽側壁部８１の内側から取付けられ吸入口の先端部となるもので、図４〜５に示すように、吸入口取付筒体３０と浴槽内側フランジ部３１とからなり、吸入口取付筒体３０の外周面に第１の雄ねじ部３２を形成するとともに浴槽内側フランジ部３１の外周面に化粧カバー１を取付ける第２の雄ねじ部３３が螺設されており、この雄ねじ部３３が螺設された浴槽内側フランジ部３１には、化粧カバー１のピン挿通孔１５と同じ径のピン取付孔３４が穿設されている。吸入口取付筒体３０の内部は吸入通路３５となっており、この吸入通路３５の奥側内周面に係合片３６が内方に突出している。
【００１８】
吸入口本体４は、浴槽側壁部８１の外側から締付けられるもので上記吸入口締付フランジ３が螺着して締付けられるようになっており、図６〜７に示すように、拡径する吸入口取付筒体４０の一端にエルボ接続部４１が形成され、他端側に浴槽外側フランジ部４２が形成され、吸入口取付筒体４０の内周面に雌ねじ部４３が形成され、上記吸入口締付フランジ３の第１の雄ねじ部３２が螺着されるようになっている。エルボ接続部４１、フランジ付きエルボのエルボ部７２に接続されるもので、円筒状の内部が吸入通路４４となっている。なお、符合４５はスパナーで締付るときの固定台座である。
【００１９】
挿入ピン６は、図８(a) に示すように、ピン本体６１とピン受け部材６２とからなり、ピン受け部材６２にはピン６１本体が嵌入する受け孔６３が形成され先端部が割りピン６４の形状とされいる。
また、ピン受け部材６２の外径は上記化粧カバー１のピン挿通孔１５と同じ径とされている。そして、ピン本体６１が受け孔６３に嵌入すると、図８(b) に示すように、先端の割りピン６４が押し広げられるようになっている。
【００２０】
次に、図１及び図９に基づいて、本発明の噴流浴槽の吸入口構造の組み立て手順について説明する。
先ず、浴槽側壁部８１の取付口８１ａの周縁にリング状のパッキン５を装着する。次に、フランジ付きエルボ７のエルボ部７２に吸入口本体４のエルボ接続部４１を接続させて、フランジ付きエルボ７を循環ポンプ９０の吸入口に取付けて循環配管を行う。この吸入口本体４の浴槽外側フランジ部４２を取付口８１ａの位置に近接した状態で配設する。
【００２１】
続いて、吸入口締付フランジ３の吸入口取付筒体３０を浴槽の内側から取付口８１ａのパッキン５内に嵌挿し、浴槽の外側に突出させてから、吸入口本体４の雌ねじ部４３に吸入口取付筒体３０の第１の雄ねじ部３１を螺着する。
【００２２】
このとき、循環ポンプ側に接続されている吸入口本体４は固定された状態であるので、浴槽の内側から吸入口締付フランジ３の吸入通路３４の奥側内周面に設けられている係合片３６に係止具（図示しない）を係止してねじ締め方向に回転させて締付けることができる。この締付けにより、浴槽内側フランジ部３２と浴槽外側フランジ部４２が取付口８１ａ周縁のパッキン５を圧接し、浴槽側壁部８１に強固にかつ水密状態に取付けることができる。
【００２３】
最後に、図９(a) に示すように、浴槽側壁部８１の内側に突出している浴槽内側フランジ部３１の第２の雄ねじ部３３に化粧カバー１の雌ねじ部１４を螺着して、浴槽内側フランジ部３１のピン取付孔３４と化粧カバー１のピン挿通孔１５が一致するように螺着しながら合わせ、図９(b) 〜(c) に示すように、ピン受け部材６２をピン挿通孔１５から浴槽内側フランジ部３２のピン取付孔３４へと挿入し、続いて、ピン受け部材６２の受け孔６３にビン本体６１を嵌入して、化粧カバー１が浴槽内側フランジ部３２から外れないように挿入ピン６により固定される。
【００２４】
以上、本発明実施の形態を図面に基づいて説明してきたが、具体的な構成はこの実施例のものに限られるものではなく、本発明の要旨を逸脱しない範囲の設計変更等があっても本発明に含まれる。
【００２５】
例えば、本発明の噴流浴槽の吸入口構造の組み立て手順としては、吸入口本体４を循環ポンブ側に接続する前に、浴槽の外側に突出している吸入口締付フランジ３の吸入口取付筒体３０に浴槽の外側から吸入口本体４の雌ねじ部４３を螺着して、浴槽内側フランジ部３２と浴槽外側フランジ部４２とで取付口８１ａ周縁のパッキン５を圧接してもよい。
【００２６】
この場合、浴槽の内側から吸入口締付フランジ３の吸入通路３４の奥側内周面に設けられている係合片３６に係止具（図示しない）を係止させ、吸入口締付フランジ３が回らないようにした状態で、浴槽外側にある吸入口本体４をスパナーで締付けることにより、浴槽側壁部８１に強固にかつ水密状態に取付けることができる。
【図面の簡単な説明】
【００２７】
【図１】本発明の浴槽の吸入口構造を説明する破断側面図である。
【図２】本発明の噴流浴槽の吸入口構造において使用する化粧カバーの一例を示す平面図である。
【図３】同じく化粧カバーの破断側面図である。
【図４】図４は浴槽壁に取付けられる吸入口締付フランジの平面図である。
【図５】同じく吸入口締付フランジの破断側面図である。
【図６】吸入口本体の破断側面図である。
【図７】同じく吸入口本体の背面図である。
【図８】化粧カバーを固定するピンの分解斜視図である。
【図９】本発明の噴流浴槽の吸入口構造における組み立て手順を説明する説明図である。
【図１０】従来例を説明するの概略図である。
【図１１】同じくその作用を説明する概略図である。
【符号の説明】
【００２８】
１              化粧カバー
１１            前壁部
１２            側壁部
１３、１３ａ    吸入用孔
１４            雌ねじ部
１５            ピン挿通孔
２              メッシュカバー
３              吸入口締付フランジ
３０            吸入口取付筒体
３１            浴槽内側フランジ
３２            第１の雄ねじ部
３３            第２の雄ねじ部
３４            ピン取付孔
４              吸入口本体
４０            吸入口取付筒体
４１            エルボ接続部
４２            浴槽外側フランジ
５              パッキン
６              挿入ピン
【図１】
2005028003.tif 000003
【図２】
2005028003.tif 000004
【図３】
2005028003.tif 000005
【図４】
2005028003.tif 000006
【図５】
2005028003.tif 000007
【図６】
2005028003.tif 000008
【図７】
2005028003.tif 000009
【図８】
2005028003.tif 000010
【図９】
2005028003.tif 000011
【図１０】
2005028003.tif 000012
【図１１】
2005028003.tif 000013